(57)【要約】      （修正有）【課題】壁に対して構成部品（表示画面）を移動できるデバイスを提供すること。【解決手段】平坦表示画面など構成部品を支持するための適切なデバイスに関し、前記デバイスは第一アームを具備し、前記第一アームは、自身の第一端部により壁に接続できて、第一旋回軸の周囲を旋回できるようになっていて、また前記第一アームは自身の第二端部により第二アームの第一端部へ接続されて、第二旋回軸の周囲を旋回できるようになっていて、また前記第二アームは自身の第二端部により支持される状態にある構成部品に接続できて、第三旋回軸の周囲を旋回できるようになっている。この平坦表示画面は通常は壁に平行に位置決めされ、使用しないときは壁と殆ど接触している。ユーザーは自分が画面を使用したいとき壁に対して所望する位置に平坦画面を設置できる。【選択図】図２
2006184887.tif 000002
【特許請求の範囲】
【請求項１】
平坦表示画面など構成部品を支持するための適切なデバイスであって、
前記デバイスは第一アームを具備し、前記第一アームは自身の第一端部により壁に接続でき、第一旋回軸の周囲を旋回できるようになっていて、また前記第一アームは自身の第二端部により第二アームの第一端部へ接続され、第二旋回軸の周囲を旋回できるようになっていて、また第二アームは自身の第二端部により支持される状態にある構成部品に接続でき、第三旋回軸の周囲を旋回できるようになっているものにおいて、
前記デバイスは第三アームを備えていて、前記第三アームは第一端部により壁に接続でき、第四旋回軸の周囲を旋回できるようになっていて、また前記第三アームは第二端部により第四アームの第一端部に接続され、第五旋回軸の周囲を旋回できるようになっていて、また第四アームは第二端部により支持される構成部品へ接続でき、第六旋回軸の周囲を旋回できるようになっていて、第三と第四アームは、第一と第二アームに対していずれのアームの位置においても事実上ほぼ鏡面対称にあることを特徴とする、
デバイス。
【請求項２】
前記第一と前記第三アームの第一端部は、反対方向にほぼ同一の角度を介して前記第三アームの旋回移動を生ずる前記第一アームの特定の角度を介する旋回移動を伴って、旋回するように相互接続されることを特徴とする、請求項１に記載のデバイス。    
【請求項３】
前記第一と前記第三アームの第一端部は、噛合している歯車部分を備えていることを特徴とする、請求項２に記載のデバイス。
【請求項４】
前記第一と前記第三アームの第一端部は、円筒型部分の上方をＳ字状に通過するバンドによって相互接続される、円筒型部分を備えていることを特徴とする、請求項２に記載のデバイス。
【請求項５】
前記第三旋回軸と前記第六旋回軸とが一致することを特徴とする、請求項１−４のいずれか一項に記載のデバイス。
【請求項６】
前記第二と前記第四アームとの間の角度が減少すると、前記第二と前記第四アームとに対して構成部品が旋回できる角度が増大することを特徴とする、請求項１−５のいずれか一項に記載のデバイス。
【請求項７】
前記第二と前記第四アームとに対して構成部品が旋回できる角度が、前記第二と前記第四アームとに取付けられる止め具により制限されることを特徴とする、請求項１−６のいずれか一項に記載のデバイス。
【請求項８】
前記第二と前記第四アームとの間の角度が大きい時に、前記第二と前記第四アームとに取付けられる止め具間の間隔が大きいことを特徴とする、請求項７に記載のデバイス。
【請求項９】
前記第二と前記第四アームとの第二端部が環状部分を備え、前記環状部分の各々において前記止め具の一つが位置決めされる一方、構成部品に接続できる支持体は前記環状部分に位置決めされ、その支持体は前記止め具と係合する接触表面を備えることを特徴とする、請求項７あるいは８に記載のデバイス。
【発明の詳細な説明】
【技術分野】
【０００１】
本発明は、平坦表示画面など構成部品を支持するための適切なデバイスに関し、前記デバイスは第一アームを具備し、前記第一アームは、自身の第一端部により壁に接続できて、第一旋回軸の周囲を旋回できるようになっていて、また前記第一アームは、自身の第二端部により第二アームの第一端部へ接続されて、第二旋回軸の周囲を旋回できるようになっていて、また前記第二アームは、自身の第二端部により支持される状態にある構成部品へ接続できて、第三旋回軸の周囲を旋回できるようになっている。
【背景技術】
【０００２】
特許文献１）から周知のデバイスによると、第二アームの第二端部は前記第三軸の周囲を旋回できる支持要素を備えていて、その支持要素は平坦表示画面へ取付けできる。支持要素はさらに、平坦表示画面がアームに関し水平方向に延びている軸の周囲を旋回できるようにする。第一と、第二と、第三の旋回軸は、垂直方向に延びる。
【０００３】
この平坦表示画面は、通常は壁に平行に位置決めされ、使用されていないときは壁とほぼ接触している。ユーザは、自分が画面を使用したいとき壁に対して所望する位置に平坦画面を設置できる。
【０００４】
もしユーザが、平坦表示画面を壁の付近で壁に平行な平坦表示画面の位置から第三旋回軸の周囲を旋回する状態にしたならば、平坦表示画面の一端は壁に衝突する。これは壁あるいは比較的高価な平坦表示画面が損傷される危険性があることを意味する。これは当然に望ましいことではない。したがって、ユーザは最初に平坦表示画面を壁から離れている位置へ移動する必要がある。そのときのみ、表示画面はユーザにより所望される位置へ第三旋回軸の周囲を旋回されるはずである。第一と第二とのアームは、第一と第二との旋回軸の周囲を自由に旋回できるので、それらが実際に壁と接触している位置において、アームはもう一方のアームの上下かあるいは互いに一致するかのどちらかで位置決めされる可能性がある。ユーザが所望する位置へ表示画面を移動することになるであろう方法は、互いに対するアームの位置に従属する。
【特許文献１】欧州特許出願第A2-1,471,300号明細書
【発明の開示】
【発明が解決しようとする課題】
【０００５】
本発明の目的は、確実な方法で壁に対して表示画面を移動できるデバイスを提供することである。
【課題を解決するための手段】
【０００６】
前記目的は、第三アームを備える本発明に記載のデバイスにより達成され、前記第三アームは、第一端部により壁に接続できて、第四旋回軸の周囲を旋回できるようになっていて、また前記第三アームは、第二端部により第四アームの第一端部へ接続されて、第五旋回軸の周囲を旋回できるようになっていて、また前記第四アームは第二端部により支持される状態にある構成部品に接続できて、第六旋回軸の周囲を旋回できるようになっているものにおいて、前記第三と前記第四アームは、前記第一と前記第二アームに対していずれのアームの位置においても事実上ほぼ鏡面対称にある。
一方では前記第一と前記第二アームと他方では前記第三と前記第四アームとの対称面に対する鏡面対称位置の結果として、構成部品へ旋回軸となるように接続される前記第二と前記第四アームとの第二端部は、アームの旋回運動の際に対称面に平行な方向に移動される。通常の配置の場合においては、前記対称面は壁に対して横方向に延びる。したがって、構成部品は、アームの旋回運動の際、壁に向かってあるいは壁から離れて、壁に対して横向きの方向に自動的に移動される。
【０００７】
本発明に記載のデバイスの一つの実施態様は、前記第一と前記第三アームとの第一端部が、反対方向にほぼ同一の角度を介して第三アームの旋回移動を生ずる、特定の角度を介する前記第一アームの旋回運動を伴って、旋回するように相互接続されることを特徴とする。
これは、前記第一と前記第三アームとがいずれのアームの位置においても互いに対してほぼ鏡面対称にある簡単な方法で達成される。その結果、前記第一と前記第三アームとに接続される前記第二と前記第四アームは同様に、互いに対して自動的に鏡面対称にある。
【０００８】
本発明に記載のデバイスの別の実施態様は、前記第一と前記第三アームの第一端部は、噛合している歯車部分を備えていることを特徴とする。
前記歯車部分は互いに噛合する関係にあるので、前記第一アームの角度変位は、反対方向においてであるが前記第三アームの同一の角度変位を生ずることを、簡単な方法で確保できる。
【０００９】
本発明に記載のデバイスの別の実施態様は、前記第一と前記第三アームの第一端部は、円筒型部分の上方を通過するＳ字状のバンドによって相互接続される円筒型部分を備えていることを特徴とする。
Ｓ字状に延びているこのバンドの使用は、前記第一アームの角度変位が前記第三アームを同一角度を介して反対方向に旋回を起すことを実現する。
【００１０】
本発明に記載のデバイスのさらに別の実施態様は、前記第三旋回軸と前記第六旋回軸とが一致することを特徴とする。
前記第三と前記第六の旋回軸が一致するので、前記二つの旋回軸に対して真の旋回移動を受ける構成部品を所有できる、その結果、前記旋回軸の周囲の表示画面の旋回運動は、ユーザに明確である自身の移動を生ずる。
【００１１】
本発明に記載のデバイスのさらに別の実施態様は、前記第二と前記第四アームに対して前記構成部品が旋回できる角度が、前記第二と前記第四アームとの間の角度が減少するとともに増大することを特徴とする。
もし前記第二と前記第四アームとの間の角度が比較的大きいならば、前記第二と前記第四アーム、またその結果としての前記構成部品は比較的壁に近接して位置決めされる。この位置においては、前記構成部品が大きな角度を介して旋回することは望ましくなく、その理由は、その場合には構成部品と壁は衝突するからである。
もし前記第二と前記第四アームとの間の角度が小さいならば、前記第三旋回軸はさらに壁から離れて位置し、それによって前記構成部品と、壁に衝突する構成部品の無い前記第二と前記第四アームとの間の旋回角度を大きくできるようにしている。
【００１２】
本発明に記載のデバイスのさらに別の実施態様は、前記第二と前記第四アームに対する前記構成部品が旋回できる角度は、前記第二と前記第四アームに取付けられる止め具により制限されることを特徴とする。
前記止め具は、構成部品がアーム自体に衝突しないようにする。加えて、構成部品が前記第三と第六の軸の周囲を旋回できる角度は、止め具の位置と大きさとにより簡単な方法で決定される。
【００１３】
本発明に記載のデバイスのさらに別の実施態様は、前記第二と前記第四アームとの間の角度が大きいときは、前記第二と前記第四アームに取付けられた止め具の間隔は大きいことを特徴とする。このことは、前記第二と前記第四アームとの間の角度が大きい場合は、前記第二と前記第四アームとの間の角度が小さくまたその結果として前記止め具の間隔も小さい場合よりも、前記構成部品が移動できる角度は小さいことを意味する。
【００１４】
本発明に記載のデバイスの別の実施態様は、前記第二と前記第四アームとの第二端部は、環状部分を提供され、前記環状部分の各々に前記止め具の一つが位置決めされる一方、構成部品を接続できる支持体は前記環状部分内に位置決めされ、また前記支持体は前記止め具と係合する接触表面を備えることを特徴とする。
この構造の結果として、止め具と、止め具と係合する接触表面とは、ユーザの目にさらされない。表示画面の移動の際に、しかしながら、ユーザは、構成部品の旋回運動、例えば垂直軸の周囲の平坦表示画面の旋回運動は、表示画面が壁から少し離れるまでは不可能であると知る。
【発明を実施するための最良の形態】
【００１５】
本発明はこれから、図面を参照して詳述される。
【００１６】
図１は、本発明に記載のデバイス１を示し、デバイスは壁２に取付けられる支持プレート３を備え、支持プレートに第一と第三の旋回アーム４、５が、垂直方向に延びている旋回軸６、７の周囲に旋回するように接続される。旋回軸６、７は、アーム４、５の第一端部の付近に位置する。前記第一端部から遠く離れた側部上で、アーム４、５は自身の第二端部により第二アーム１０と第四アーム１１とへそれぞれ接続され、旋回軸８、９の周囲に旋回できるようになっている。旋回軸８、９から遠く離れた自身の端部で、アーム１０と１１は、共通の旋回軸１２の周囲に旋回するように相互接続される。第一アーム４と第二アーム１０は、対称面１３に対して第三アーム５と第四アーム１１と鏡面対称に配置される。第二アーム１０と第四アーム１１は、さらに旋回するように旋回軸１２の周囲の表示画面１５が接続される支持体１４に接続される。支持体１４と表示画面１５は、第二と第四アーム１０と１１とに対して、その大きさが壁２に関して表示画面１５の位置に従属する角度を介して一緒に旋回できる。
図１において示される折りたたまれた状態においては、旋回軸１２の周囲の表示画面１５の旋回移動は、たとえ表示画面１５の端部が壁２に衝突しないようにしても不可能である。
【００１７】
図２は、図１のデバイス１をその中間状態において示す。その状態において第一と第三アーム４、５は互いに対して僅かに旋回する。アーム１０と１１は、同様に互いに対して旋回し、その結果アーム１０、１１の端部へ接続される旋回軸１２は、矢印Ｐ１により図示されるように壁２から離れる方向で対称面１３にほぼ平行に移動する。図２が明瞭に示すように、対称面１３は壁２に対して横向きに延びる。この中間状態において、表示画面１５は、壁２に平行に延びる状態から第二アーム１０にほぼ平行に延びる状態（図２において示されるように）にまた第四アーム１１にほぼ平行に延びる状態へ旋回できる。
表示画面１５が壁２から十分遠く離れているので、表示画面１５はこれらの状態のいずれにおいても壁２と接触状態にならない。
【００１８】
アーム１０、１１は、旋回軸８、９の近くに位置するそれらの端部で、図１において示される状態において壁２と接触できる、突起１６、１７を提供される。
比較的軟質の材料から作製されるのが好ましい前記突起は、簡単な方法でアーム４、５が壁２に衝突しないようにする。
図２において示される状態において、突起１６、１７は、アーム１０、１１と一緒にアーム４、５の上方の位置へ旋回し、その結果カム１６、１７は、アーム４、５、１０、１１の整然とした状況を損なうことはない。
【００１９】
図３は、図１のデバイスの平面図であり、その最終状態のデバイスを示していて、その中でアーム４、５、１０、１１は、互いに対してさらに旋回しまた対称面１３に近接して位置決めされる。これは矢印Ｐ１により図示される方向にさらに移動するようになっている構成部品１５に接続される支持体１４を生じ、その結果構成部品は壁２からさらに離れて位置決めされる。この状態において、表示画面１５と支持体１４は、表示画面１５が壁２に衝突する危険を冒さず、比較的大きな角度を介して一緒に旋回できる。
【００２０】
図４は、図１において示されるデバイス１の一部分の底面図である。図が明瞭に示すように、第一アーム４と第三アーム５の第一端部１８、１９は、円形の円筒型部分２０、２１を備え、円筒型部分２０と２１はそれらの周辺部に沿って噛合している歯車部分２２と、２３を備える。
アーム４、５の端部１８、１９は、お互いに噛合しているので、アーム４、５の一方の角度変位は、同一の大きさの角度を介して反対方向にもう一方の角度変位を自動的に生ずる。
【００２１】
図５と６は、それぞれ図１のデバイス１の透視図と部分断面図であり、その中間状態のデバイスを示している。表示画面１５が接続される支持体１４は、前記図において明瞭に示される。アーム１０、１１は自身の第二端部で環状部分２５、２６を備え、前記環状部分の中に円筒型支持体１４は位置決めされる。円筒型支持体１４は弓形の凹部２７を備え、その中に弓形の金具（示されていない）を、移動可能に収納できる。弓形の金具は、その端部により表示画面１５へ接続される。弓形の凹部２７の中の弓形の金具の移動は、表示画面１５が、水平に延びている軸の周囲を旋回することを可能にする。この旋回運動は、出願人の前述の特許文献１）に記載された方法に類似して起る。
【００２２】
図７は、図１のデバイス１の平面図であり、自身の折りたたまれた状態のデバイスを示していて、その中に支持体１４は明瞭に目に見える。支持体１４は、対称面１３に対し対称的に配置されている二つの接触表面を有し、接触表面は、図７において示される折りたたまれた状態において、第二アーム１０の環状部分２５と第四アーム１１の環状部分２６とへそれぞれ取付けられている止め具３０、３１と接触する。
矢印Ｐ２により示される方向において旋回軸１２の周囲の支持体１４の旋回運動は、止め具３０に対する接触表面２９の接触により不可能になる。
同様に、矢印Ｐ２の反対方向において旋回軸１２の周囲の支持体１４の旋回運動は、止め具３１に対する接触表面２８の接触により不可能になる。
【００２３】
図８は、図７に類似の図であり、その中でデバイス１は、折りたたまれた状態というよりは中間状態で図示される。この中間状態において、表示画面１５は、対称面１３に対して横向きに延びている状態から、表示画面１５が第二アーム１０にほぼ平行に延びる図８において示される状態へ旋回できる。さらに矢印Ｐ２により示される方向において支持体１４とそれに接続される表示画面１５との旋回運動は、第二アーム１０へ取付けられる止め具３０に対する接触表面２９の接触により不可能になる。図８において示される表示画面１５の状態から表示画面１５が第四アーム１１にほぼ平行に延び、また接触表面２８がアーム１１に取付けられる止め具３１と接触する状態へ、表示画面１５は矢印Ｐ２の反対方向において角度αを介して旋回できる。
【００２４】
図９は、図８に類似の図であるが、その中にデバイス１は最終状態に示される。前記最終状態は、歯車部分２２、２３の互いに対する旋回運動がさらには不可能になることで定義される。
止め具３０、３１は、この最終状態においてほぼ上下に位置決めされ、それ故に支持体１４と、支持体１４へ接続される表示画面１５との最大の旋回運動の角度αを実現している。図９において示される状態において、表示画面１５は第二アーム１０にほぼ平行に延びる。矢印Ｐ２により図示される方向において表示画面１５のさらなる旋回運動は、接触表面２９がアーム１０に取付けられる止め具３０と接触することを阻止する。表示画面１５は、矢印Ｐ２の反対方向において角度αを介して、表示画面１５が第四アーム１１に平行に延び、また接触表面２８がアーム１１に取付けられる止め具３１と接触する状態へ旋回できる。
【００２５】
止め具３０、３１は、環状部分２５、２６の中に位置決めされるので、前記止め具は、たとえユーザがそれらの存在を感知できてもユーザの目には晒されない。図１において示される表示画面１５の状態において、表示画面１５が旋回軸１２の周囲を旋回するようにユーザが表示画面１５の一方の端部を掴むとき、この旋回運動は、自動的に矢印Ｐ１により図示されるように旋回軸１２の壁２から離れる方向への移動を生ずる。このようにして、表示画面１５は自動的に壁２に衝突しないようになり、その結果ユーザは自分自身に注意を払う必要がなくなる。
【００２６】
そのうえに、止め具３０、３１は、アーム１０、１１の環状部分２５、２６の中に位置決めされるので、前記止め具はユーザが接近しにくく、その結果止め具は誤って除去されることはなく、表示画面１５が壁２に衝突する状態に至ることはない。さらに、アーム１０、１１に対する止め具３０、３１の位置決めは製造時に最適化できる。図面において示される実施態様によると、表示画面１５は壁２に衝突しないが、アーム１０、１１のどちらとも接触状態にならず、その結果アームあるいは表示画面に対する損傷は簡単な方法で阻止される。
【００２７】
アーム４、５に取付けられる円形の円筒型部分を例えば円形部分２０、２１の上方をＳ字状で通過する鋼バンドによって相互接続することもでき、その結果アーム４、５の旋回運動は、バンドを一方の円形部分から解き放つようにする一方、同時にもう一方の円形部分に巻かれるようにしている。
一致する軸６、７を有し、異なる方法で、アーム４、５の対向した角度変位のカップリングを実現することもできる。
第二アーム１０と第四アーム１１の相互接続された端部において、対向した角度変位の前記カップリングを統合することもできる。
【００２８】
そのうえに、アーム１０と、１１の外側で自身の中心付近に止め具を位置決めできる。この場合には、表示画面１５は、アーム１０と、１１の外側に在る前記止め具と接触状態になる。この接続においての欠点は、しかしながら、角度変位が、前記止め具に向き合う状態においての表示画面１５の大きさにある程度従属するということである。
第二あるいは第四アームにのみ止め具を備えることもできる。
拡声器、乾燥機等々など、さまざまな型の構成部品を支持するためにデバイスを使用することも当然にできる。
【図面の簡単な説明】
【００２９】
【図１】図１は、本発明に記載のデバイスの平面図であり、自身が折りたたまれた状態にあるデバイスを示している。
【図２】図２は、図１のデバイスの平面図であり、自身が中間状態にあるデバイスを示している。
【図３】図３は、図１のデバイスの平面図であり、自身が最終状態にあるデバイスを示している。
【図４】図４は、図１のデバイスの一部分の底面図であり、自身が折りたたまれた状態にあるデバイスを示している。
【図５】図５は、図１のデバイスの透視図であり、自身が中間状態にあるデバイスを示している。
【図６】図６は、図５において示される部分断面のデバイスの透視図である。
【図７】図７は、図１のデバイスの細部の平面図であり、自身が折りたたまれた状態にあるデバイスを示している。
【図８】図８は、図１のデバイスの細部の平面図であり、自身が中間状態にあるデバイスを示している。
【図９】図９は、図１のデバイスの細部の平面図であり、自身が最終状態にあるデバイスを示している。
【符号の説明】
【００３０】
同類の部品は、図において同一符号により示される。
１    デバイス
２    壁
３    支持プレート
４    第一アーム
５    第三アーム
６    第一旋回軸
７    第四旋回軸
８    第二旋回軸
９    第六旋回軸
１０    第二アーム
１１    第四アーム
１２    共通（第三、第五）の旋回軸
１３    対称面
１４    支持体
１５    構成部品（表示画面）
１６    突起あるいはカム
【図１】
2006184887.tif 000003
【図２】
2006184887.tif 000004
【図３】
2006184887.tif 000005
【図４】
2006184887.tif 000006
【図５】
2006184887.tif 000007
【図６】
2006184887.tif 000008
【図７】
2006184887.tif 000009
【図８】
2006184887.tif 000010
【図９】
2006184887.tif 000011
【外国語明細書】
2006184887000001.pdf